(57)【要約】【課題】  ユーザ負担を軽減した通信方式の切替を行うことができる「電子装置および情報端末を用いたメディアシステム」を提供する。【解決手段】  車載機３０は、ブルートゥース接続４０およびＵＳＢ接続５０により情報端末２０と接続可能であり、情報端末２０は、２つの接続のうちブルートゥース接続４０をＵＳＢ接続５０よりも優先させる。車載機３０において、ユーザがブルートゥース接続以外のメディアソースを選択した場合、接続解除部２１６は、ブルートゥース接続４０の中のＢＴオーディオ接続４４のみを解除する。これにより、情報端末２０と車載機３０は、ＵＳＢ接続５０による通信が可能になる。【選択図】  図６
2013077968.tif 000002
【特許請求の範囲】
【請求項１】
情報を処理する情報端末を接続可能な電子装置であって、
第１の通信方式を用いて情報端末との接続を可能にする第１の接続手段と、
第１の通信方式と異なる第２の通信方式を用いて情報端末との接続を可能にする第２の接続手段と、
メディアソースを選択する選択手段と、
前記選択手段により選択されたメディアソースに基づき第１の接続手段による接続を解除する解除手段と、
を有する電子装置。
【請求項２】
前記第１の接続手段は、第１のプロファイルに従いオーディオ信号の通信を制御するオーディオ接続手段と、第２のプロファイルに従い前記情報端末を利用した音声通話の通信を制御する音声通話接続手段とを含み、前記解除手段は、前記オーディオ接続手段のみを解除する、請求項１に記載の電子装置。
【請求項３】
前記解除手段は、前記選択手段によって特定のメディアソースが選択されたとき、前記第１の接続手段による接続を解除する、請求項１または２に記載の電子装置。
【請求項４】
前記解除手段は、前記選択手段によって前記第１の接続手段に関連するメディアソース以外が選択されたとき、前記第１の接続手段による接続を解除する、請求項１または２つ記載の電子装置。
【請求項５】
前記第２の接続手段は、情報端末を制御するコマンド信号を送信する、請求項１ないし４いずれか１つに記載の電子装置。
【請求項６】
前記第２の接続手段は、前記コマンド信号に基づき再生されたオーディオ信号を情報端末から受信する、請求項５に記載の電子装置。
【請求項７】
前記第１の接続手段は、無線による通信であり、前記第２の接続手段は、有線による通信である、請求項１ないし６いずれか１つに記載の電子装置。
【請求項８】
前記第２の接続手段の通信速度は、前記第１の接続手段の通信速度よりも速い、請求項１ないし７いずれか１つに記載の電子装置。
【請求項９】
前記第２の接続手段から受信されるオーディオ信号は、前記第１の接続手段から受信されるオーディオ信号よりも、サンプリングレートまたは伝送ビットが大きい、請求項１ないし８いずれか１つに記載の電子装置。
【請求項１０】
前記第１の接続手段は、ブルートゥース接続であり、前記第２の接続手段は、ＵＳＢ接続である、請求項１ないし９いずれか１つに記載の電子装置。
【請求項１１】
請求項１ないし１０いずれか１つに記載の電子装置と、当該電子装置に接続された情報端末とを含む電子システムであって、
前記情報端末は、前記第１の接続手段による接続を、前記第２の接続手段による接続よりも優先する、電子システム。
【請求項１２】
請求項１ないし１０いずれか１つに記載の電子装置と、当該電子装置に接続された情報端末とを含む電子システムであって、
前記情報端末は、前記第２の接続手段による接続を、前記第１の接続手段による接続よりも優先する、電子システム。
【請求項１３】
前記情報端末は、優先されない前記第１または第２の接続手段による通信が利用できない状態にする、請求項１１または１２に記載の電子システム。
【請求項１４】
前記情報端末は、前記第２の接続手段を介して電子装置から受信されたコマンド信号に応答してオーディオ再生アプリケーションを実行し、かつ当該オーディオ再生アプリケーションにより再生されたオーディオ信号を前記第２の接続手段を介して電子装置へ送信する、請求項１１ないし１３いずれか１つに記載の電子システム。
【請求項１５】
情報を処理する情報端末を接続可能な電子装置であって、
第１の通信方式を用いて情報端末との接続を可能にする第１の接続手段と、
第１の通信方式と異なる第２の通信方式を用いて情報端末との接続を可能にする第２の接続手段と、
第１の接続手段による接続を解除する解除手段とを有し、
前記第１の接続手段は、第１のプロファイルに従いオーディオ信号の通信を制御するオーディオ接続手段と、第２のプロファイルに従い前記情報端末を利用した音声通話の通信を制御する音声通話接続手段とを含み、
前記解除手段は、前記オーディオ接続手段のみを選択的に解除する、電子装置。
【請求項１６】
前記解除手段は、前記オーディオ接続手段が未使用であるとき、前記オーディオ接続手段を解除する、請求項１５に記載の電子装置。
【請求項１７】
前記解除手段は、前記オーディオ接続手段に関連するメディアソース以外が選択されたことに応答して、前記オーディオ接続手段を解除する、請求項１５に記載の電子装置。
【請求項１８】
情報を処理する情報端末を接続可能であり、第１の通信方式を用いて情報端末との接続を可能にする第１の接続手段と、第１の通信方式と異なる第２の通信方式を用いて情報端末との接続を可能にする第２の接続手段とを有する電子装置が実行する通信制御プログラムであって、
第１および第２の接続手段により電子装置を情報端末に接続するステップと、
メディアソースを選択するステップと、
前記選択されたメディアソースに基づき第１の接続手段による接続を解除するステップと、
を有する通信制御プログラム。
【請求項１９】
通信制御プログラムはさらに、前記選択されたメディアソースに基づき前記第１の接続手段が未使用か否かを判定するステップを含み、前記解除するステップは、未使用と判定されたとき、前記第１の接続手段を解除する、請求項１８に記載の通信制御プログラム。
【請求項２０】
前記第１の接続手段は、第１のプロファイルに従いオーディオ信号の通信を制御するオーディオ接続手段と、第２のプロファイルに従い前記情報端末を利用した音声通話の通信を制御する音声通話接続手段とを含み、前記解除するステップは、前記オーディオ接続手段のみを解除する、請求項１８または１９に記載の通信制御プログラム。
【請求項２１】
前記第１の接続手段は、ブルートゥース接続であり、前記第２の接続手段は、ＵＳＢ接続である、請求項１８ないし２０いずれか１つに記載の通信制御プログラム。
【請求項２２】
情報を処理する情報端末と、当該情報端末に接続された電子装置とを有する電子システムにおける通信制御方法であって、
情報端末と電子装置との間で、第１の通信方式による第１の接続手段と第２の通信方式による第２の接続手段とによる接続が行われたとき、情報端末が第１の接続手段または第２の接続手段のいずれかの接続を優先させるステップと、
電子装置においてメディアソースを選択するステップと、
前記選択されたメディアソースに基づき、電子装置側において、情報端末により優先された前記第１または第２の接続手段の接続を解除するステップと、
を有する通信制御方法。
【請求項２３】
解除するステップは、優先された前記第１または第２の接続手段に関係するメディアソース以外のメディアソースが選択されたときに行われる、請求項２２に記載の通信制御方法。
【請求項２４】
前記第１の接続手段は、第１のプロファイルに従いオーディオ信号の通信を制御するオーディオ接続手段と、第２のプロファイルに従い前記情報端末を利用した音声通話の通信を制御する音声通話接続手段とを含み、前記解除するステップは、前記オーディオ接続手段のみを解除する、請求項２２または２３に記載の通信制御方法。
【発明の詳細な説明】
【技術分野】
【０００１】
本発明は、電子装置および当該電子装置に情報端末を接続したメディアシステムに関し、特に、車両に搭載された電子装置にスマートフォンなどの情報端末を接続したメディアシステムに関する。
【背景技術】
【０００２】
近年では、スマートフォンに代表されるように、多機能型の携帯電話機の利用が進んでいる。こうしたスマートフォンに搭載された機能を車両に搭載された電子装置（以下、車載機という）において利用することが望まれている。スマートフォンが車内に持ち込まれると、スマートフォンは、ＵＳＢケーブル、無線ＬＡＮ、ブルートゥース（Bluetooth:登録商標）などの通信手段を用いて車載機と接続され、車載機からスマートフォンを介してハンズフリー通話を行ったり、スマートフォンが保有するメディアデータやアプリケーションソフトを車載機において利用することが可能になっている。
【０００３】
特許文献１は、ワイヤレスＬＡＮやブルートゥース（登録商標）などの複数の通信方式を備えたノート型ＰＣを開示している。特許文献１では、ワイヤレスＬＡＮによる通信機能およびブルートゥースによる通信機能の動作状態をともにオン状態にした場合には、複数のアンテナの中からワイヤレスＬＡＮの通信に用いるアンテナを選択し、また、周囲の通信環境に関係なく、ワイヤレスＬＡＮ用のアンテナに用いられていないアンテナを優先度の低いブルートゥース用に割り当てることで、複数の通信方式に対応した共用アンテナの使用を可能にしている。
【先行技術文献】
【特許文献】
【０００４】
【特許文献１】特開２００６−１８６８６５号公報
【発明の概要】
【発明が解決しようとする課題】
【０００５】
一般に、スマートフォンや車載機は、複数の通信方式に対応しており、スマートフォンが車内に持ち込まれたとき、スマートフォンは、車載機と複数の通信方式によって接続可能である。このような場合に、特許文献１に示すように、一方の通信方式の接続を他方の通信方式よりも優先させるような通信制御が行われており、機器によっては、優先度の低い方の通信方式の利用を停止させてしまうものもある。例えば、スマートフォンと車載機とがブルートゥース通信とＵＳＢ通信により接続されている場合に、スマートフォンは、ブルートゥース通信を優先させ、ＵＳＢ通信が利用できないような環境設定にしてしまう。このため、ユーザは、ブルートゥース通信を利用していない場合であっても、ＵＳＢ通信を利用することができず、仮に、ＵＳＢ通信を利用しようとする場合には、車載機とスマートフォン間のブルートゥース接続を解除する操作をしなければならない。さらに、ブルートゥース通信によりハンズフリー通話を行っている場合には、ブルートゥース接続を解除した段階で、ハンズフリー通話を利用することができなくなってしまう。
【０００６】
また、上記とは反対に、スマートフォンによっては、ＵＳＢ通信を優先させ、ブルートゥース通信を利用できないような環境設定にしてしまうものもあり、この場合にも、ユーザは、ブルートゥース通信を利用したい場合には、ＵＳＢ通信が非接続となるようにケーブルを外すなどの作業を強いられる。特に、運転中のユーザに煩雑な作業を強いることは望ましくない。
【０００７】
本発明は、上記従来の課題を解決するものであり、ユーザ負担を軽減した通信方式の切替を行うことができる電子装置および情報端末を用いたメディアシステムを提供することを目的とする。
【課題を解決するための手段】
【０００８】
本発明の電子装置は、情報を処理する情報端末を接続可能なものであって、第１の通信方式を用いて情報端末との接続を可能にする第１の接続手段と、第１の通信方式と異なる第２の通信方式を用いて情報端末との接続を可能にする第２の接続手段と、メディアソースを選択する選択手段と、前記選択手段により選択されたメディアソースに基づき第１の接続手段による接続を解除する解除手段とを有する。
【０００９】
好ましくは前記第１の接続手段は、第１のプロファイルに従いオーディオ信号の通信を制御するオーディオ接続手段と、第２のプロファイルに従い前記情報端末を利用した音声通話の通信を制御する音声通話接続手段とを含み、前記解除手段は、前記オーディオ接続手段のみを解除する。好ましくは前記解除手段は、前記選択手段によって特定のメディアソースが選択されたとき、前記第１の接続手段による接続を解除する。好ましくは前記解除手段は、前記選択手段によって前記第１の接続手段に関連するメディアソース以外が選択されたとき、前記第１の接続手段による接続を解除する。好ましくは前記第２の接続手段は、情報端末を制御するコマンド信号を送信する。好ましくは前記第２の接続手段は、前記コマンド信号に基づき再生されたオーディオ信号を情報端末から受信する。好ましくは前記第１の接続手段は、無線による通信であり、前記第２の接続手段は、有線による通信である。好ましくは前記第２の接続手段の通信速度は、前記第１の接続手段の通信速度よりも速い。好ましくは前記第２の接続手段から受信されるオーディオ信号は、前記第１の接続手段から受信されるオーディオ信号よりも、サンプリングレートまたは伝送ビットが大きい。好ましくは前記第１の接続手段は、ブルートゥース接続であり、前記第２の接続手段は、ＵＳＢ接続である。
【００１０】
本発明の電子システムは、上記特徴を備えた電子装置と、当該電子装置に接続された情報端末とを含むものであって、前記情報端末は、前記第１の接続手段による接続を、前記第２の接続手段による接続よりも優先する。また、前記情報端末は、前記第２の接続手段による接続を、前記第１の接続手段による接続よりも優先するものでもよい。好ましくは前記情報端末は、優先されない前記第１または第２の接続手段による通信が利用できない状態にする。好ましくは前記情報端末は、前記第２の接続手段を介して電子装置から受信されたコマンド信号に応答してオーディオ再生アプリケーションを実行し、かつ当該オーディオ再生アプリケーションにより再生されたオーディオ信号を前記第２の接続手段を介して電子装置へ送信する。
【００１１】
本発明の電子装置は、情報を処理する情報端末を接続可能なものであって、第１の通信方式を用いて情報端末との接続を可能にする第１の接続手段と、第１の通信方式と異なる第２の通信方式を用いて情報端末との接続を可能にする第２の接続手段と、第１の接続手段による接続を解除する解除手段とを有し、前記第１の接続手段は、第１のプロファイルに従いオーディオ信号の通信を制御するオーディオ接続手段と、第２のプロファイルに従い前記情報端末を利用した音声通話の通信を制御する音声通話接続手段とを含み、前記解除手段は、前記オーディオ接続手段のみを選択的に解除する。
【００１２】
好ましくは前記解除手段は、前記オーディオ接続手段が未使用であるとき、前記オーディオ接続手段を解除する。好ましくは前記解除手段は、前記オーディオ接続手段に関連するメディアソース以外が選択されたことに応答して、前記オーディオ接続手段を解除する。
【００１３】
本発明の通信制御プログラムは、情報を処理する情報端末を接続可能であり、第１の通信方式を用いて情報端末との接続を可能にする第１の接続手段と、第１の通信方式と異なる第２の通信方式を用いて情報端末との接続を可能にする第２の接続手段とを有する電子装置が実行するものプログラムであって、第１および第２の接続手段により電子装置を情報端末に接続するステップと、メディアソースを選択するステップと、前記選択されたメディアソースに基づき第１の接続手段による接続を解除するステップとを有する。好ましくは通信制御プログラムはさらに、前記選択されたメディアソースに基づき前記第１の接続手段が未使用か否かを判定するステップを含み、前記解除するステップは、未使用と判定されたとき、前記第１の接続手段を解除する。
【００１４】
本発明の通信制御方法は、情報を処理する情報端末と、当該情報端末に接続された電子装置とを有する電子システムにおけるものであって、情報端末と電子装置との間で、第１の通信方式による第１の接続手段と第２の通信方式による第２の接続手段とによる接続が行われたとき、情報端末が第１の接続手段または第２の接続手段のいずれかの接続を優先させるステップと、電子装置においてメディアソースを選択するステップと、前記選択されたメディアソースに基づき、電子装置側において、情報端末により優先された前記第１または第２の接続手段の接続を解除するステップとを有する。好ましくは解除するステップは、優先された前記第１または第２の接続手段に関係するメディアソース以外のメディアソースが選択されたときに行われる。
【発明の効果】
【００１５】
本発明によれば、選択されたメディアソースに応じて第１の接続手段の接続を解除するようにしたので、ユーザが使用するメディアソースに応じて、情報端末と電子装置との間の第１または第２の接続手段による接続が自動的に切替えられ、ユーザの負担が軽減される。
【図面の簡単な説明】
【００１６】
【図１】本発明の実施例に係るメディアシステムの構成を示すブロック図である。
【図２】図１に示す情報端末の典型的な構成を示すブロック図である。
【図３】情報端末の通信制御部の構成を示すブロック図である。
【図４】図１に示す車載機の典型的な構成を示すブロック図である。
【図５】車載機におけるメディアソース選択画面の選択例である。
【図６】本実施例の車載機における通信接続部の構成を示すブロック図である。
【図７】本実施例の車載機における通信接続部の動作フローである。
【図８】本実施例のメディアシステムにおけるメディア再生の例を示す図である。
【図９】本実施例の車載機における通信接続部の他の動作フローである。
【図１０】車載機におけるメディアソース選択画面の他の選択例である。
【図１１】車載機におけるメディアソース選択画面の他の選択例である。
【発明を実施するための形態】
【００１７】
次に、本発明の実施の形態について図面を参照して説明する。本発明の好ましい実施の形態は、車内に持ち込まれた情報端末が車載機に接続されたメディアシステムを例示する。情報端末は、情報を処理することができる、通信機能を備えた多機能型のポータブルな端末であり、例えば、携帯電話機、スマートフォン、パームトップ型パーソナルコンピュータ、ラップトップ型コンピュータ、ノート型コンピュータなどであることができる。情報端末は、外部ネットワーク接続したり、音声通話をしたり、オーディオデータやビデオデータを記憶したり、搭載したアプリケーションにより種々の機能を実行することができる。
【００１８】
一方、車載機は、車両に搭載された電子装置であって、オーディオ／ビデオ再生機能、テレビ／ラジオ放送受信機能、ナビゲーション機能などを含むことができる。情報端末と車載機とは、通信方式が異なる複数の通信手段によって接続することができ、相互に必要なデータの送受を行うことができる。通信手段は、無線通信または有線通信のいずれであってもよい。好ましい態様では、情報端末は、車載機との間で複数の通信手段が接続される場合には、予め決められた規則に従い、ある通信手段を他の通信手段により優先させる。車載機は、情報端末により非優先とされた通信手段が非優先とされないように優先された通信手段の解除を行う。
【００１９】
好ましい態様では、車載機は、情報端末から出力されたオーディオ信号やビデオ信号を選択された通信手段を介して受け取り、これらをディスプレイやスピーカから出力することができる。また、車載機は、選択された通信手段を介して情報端末を遠隔操作し、情報端末からオーディオ信号やビデオ信号を受信することができる。さらに、車載機は、情報端末に着信があったとき、いわゆるハンズフリー通話を行うことができる。本発明に係る電子装置および情報端末とから構成されたメディアシステムでは、メディアソースの利用形態に応じた通信手段を自動的に選択することができる。
【実施例】
【００２０】
図１は、本発明の実施例に係るメディアシステムの構成を示す図である。同図において、メディアシステム１０は、情報端末２０と、情報端末２０に接続された車載機３０とを含んで構成される。ここでは、情報端末２０は、通信機能を備えた多機能型のスマートフォンである。車載機３０は、ナビゲーション機能やマルチメディア機能を備え、さらにハンズフリー通話セット３２を備える。
【００２１】
情報端末２０は、第１の通信方式を用いた第１の接続手段４０により車載機３０と通信接続が可能であり、さらに第１の通信方式とは異なる第２の通信方式を用いた第２の接続手段５０により車載機３０と通信接続が可能である。第１の接続手段４０は、ここでは近距離無線通信としてのブルートゥース（登録商標）接続である。以下、ブルートゥースを略してＢＴということがある。また、第２の接続手段５０は、ここでは有線通信としてのＵＳＢ(Universal Serial Bus)接続である。
【００２２】
第１の接続手段４０、すなわちブルートゥース接続４０は、２つの通信プロファイルを含む。１つのプロファイルは、ハンズフリー通話において音声データを同期型パケットで通信を制御するＨＦＰ(Hand Free Profile)接続４２である。もう１つの通信プロファイルは、モノラルまたはステレオのオーディオ信号を高品質で非同期データ転送を制御するＡ２ＤＰ（Advanced Audio Distribution Profile）を用いたＢＴオーディオ接続４４である。情報端末２０および車載機３０は、ともに２つの通信プロファイル４２、４４を備えたブルートゥース接続４０に対応する。従って、情報端末２０が車内に持ち込まれたとき、情報端末２０と車載機３０とは、２つの通信プロファイル４２、４４を含むブルートゥース接続４０によりペアリングされる。
【００２３】
また、情報端末２０および電子機器３０は、第２の通信方式であるＵＳＢ接続５０に対応するため、ＵＳＢケーブルのコネクタを接続することができる。車載機３０と情報端末２０とがＵＳＢケーブルにより相互に接続されると、ＵＳＢプラグ・アンド・プレイにより相互に機器が認識される。また、ＵＳＢ接続５０が有効であるとき、情報端末２０は、車載機３０からの電力供給を受けることができ、バッテリーの充電が可能となる。
【００２４】
図２は、情報端末の典型的な構成を示すブロック図である。情報端末２０は、ユーザからの入力を受け取る入力部１００、第１および第２の接続手段４０、５０により車載機３０との接続を可能にする通信接続部１１０、ディスプレイに種々の画像を表示する表示部１２０、音声を出力する音声出力部１３０、外部のネットワークとのデータ通信、および公衆無線回線網を介しての電話機との通話等を可能にする通信部１４０、制御部１５０、情報端末２０が保有するアプリケーション、プログラム等を格納するプログラムメモリ１６０、オーディオデータ、ビデオデータ、地図データなどを記憶するデータメモリ１７０、各部を接続するバス１８０とを備えている。
【００２５】
プログラムメモリ１６０には、種々のアプリケーションやプログラムが格納される。例えば、オーディオデータやビデオデータを再生するアプリケーション、ゲームを実行するアプリケーション、音声通話を行うためのプログラム、通信部１４０を介してインターネット上の情報をブラウズするためのプログラムなどが格納される。さらにプログラムメモリ１６０には、情報端末２０と車載機３０とがＵＳＢ接続５０により接続されているとき、車載機３０から送信されたコマンド信号を解読し、当該コマンド信号によりアプリケーションを実行する拡張プログラムが含まれる。拡張プログラムによって、例えば音楽再生用のアプリケーションが起動されると、当該アプリケーションにより再生されたオーディオ信号がＵＳＢ接続５０を介して車載機３０へ送信される。
【００２６】
図３は、情報端末２０の通信接続部１１０の内部構成を示すブロック図である。通信接続部１１０は、車載機３０との間でブルートゥース接続４０によるペアリングを行うＢＴ接続部１１２と、車載機３０との間でＵＳＢ接続５０を可能にするＵＳＢ接続部１１４と、ＢＴ接続部１１２およびＵＳＢ接続部１１４の通信接続を選択的に切り替える通信選択部１１６とを備えている。ＢＴ接続部１１２はさらに、上記したように、ＨＦＰ接続４２を可能にするＨＦＰ接続部１１２Ａと、Ａ２ＤＰによるＢＴオーディオ接続４４を可能にするオーディオ接続部１１２Ｂとを含む。
【００２７】
情報端末２０の第１の接続態様では、図３（Ａ）に示すように、通信選択部１１６は、情報端末２０と車載機３０との間でブルートゥース接続４０のペアリングが行われた場合には、ブルートゥース接続４０を優先するような選択をする。すなわち、ＵＳＢ接続５０が利用できない状態にされる。利用できない状態とは、例えば、両機器が物理的にＵＳＢケーブルにって接続された状態が維持されるが、ＵＳＢ接続部１１４は、車載機３０からのリクエストに対して応答をせず、車載機３０から情報端末２０を認識することができないような状態である。
【００２８】
一方、情報端末２０の第２の接続態様では、図３（Ｂ）に示すように、通信選択部１１６は、ブルートゥース接続４０よりもＵＳＢ接続部１１４によるＵＳＢ接続５０を優先するような選択をする。すなわち、ブルートゥース接続４０のＢＴオーディオ接続４４が利用できない状態におかれる。利用できない状態とは、例えば、オーディオ接続部１１２Ｂは、車載機３０からのリクエストに対して応答をせず、車載機３０から情報端末２０を認識することができないような状態である。通信選択部１１６は、通信接続部１１２の制御により、図３（Ａ）または（Ｂ）に示すような優先的な通信選択を行う。
【００２９】
図４は、電子装置３０の典型的な構成を示すブロック図である。同図に示すように、車載機３０は、ユーザからの入力を受け取る入力部２００、第１および第２の接続手段４０、５０により情報端末２０との接続を可能にする通信接続部２１０、表示部２２０、音声を出力する音声出力部２３０、種々のメディアの再生等を実行するマルチメディア部２４０、制御部２５０、アプリケーション等を実行するためのプログラムを格納するプログラムメモリ２６０、オーディオデータ、ビデオデータ、地図データなどのデータを記憶するデータメモリ２７０、各部を接続するバス２８０とを備えている。
【００３０】
マルチメディア部２４０は、ＣＤ、ＤＶＤ、ブルーレイディスク、メモリ媒体、データメモリ２７０などに記録されたオーディオデータやビデオデータを再生する機能、テレビ放送やラジオ放送を受信する機能などを有する。プログラムメモリ２６０には、ナビゲーション機能を実行するアプリケーションやマルチメディア部２４０を制御するプログラムに加え、情報端末２０との間の通信接続を制御するプログラムや、情報端末２０がＵＳＢ接続５０により接続されているときに情報端末２０を遠隔操作するための遠隔操作プログラムなどが記憶される。なお、車載機３０は、ナビゲーション動作に必要なＧＰＳ測位情報、車速情報、方位情報などを受け取ることができる。
【００３１】
次に、マルチメディア部２４０によるメディアソースの選択について説明する。ユーザは、メニュー画面からの操作によって、所望のメディアソースを選択することができる。図５は、メディアソースの選択画面の選択例を示している。メディアソース選択画面２９０には、ユーザ選択可能なメディアソースが複数表されている。ディスク再生２９１を選択すると、ＣＤ、ＤＶＤまたはブルーレイディスクを再生するための画面に切り替わり、ＨＤＤ再生２９２を選択すると、データメモリ２７０に記憶されたオーディオ／ビデオデータを再生するための画面に切り替わる。テレビ放送２９３またはラジオ放送２９４を選択すると、それらの受信動作するための操作画面に切り替わる。ＢＴオーディオ２９５が選択されると、ＢＴオーディオ接続４４を介して情報端末２０からオーディオ信号を入力し、これを音声出力部２３０から出力することができる。
【００３２】
図６は、車載機３０の通信接続部２１０の内部構成を示すブロック図である。同図に示すように、通信接続部２１０は、ブルートゥース接続４０による接続を可能にするＢＴ接続部２１２と、ＵＳＢ接続５０による接続を可能にするＵＳＢ接続部２１４と、ユーザが選択したメディアソースの選択情報を受け取り、当該選択情報に応じてＢＴ接続部２１２またはＵＳＢ接続部２１４の接続を解除する接続解除部２１６とを有する。さらにＢＴ接続部２１２は、ＨＦＰ接続４２による接続を可能にするＨＦＰ接続部２１２Ａと、Ａ２ＤＰによるＢＴオーディオ接続４４による接続を可能にするオーディオ接続部２１２Ｂとを有する。好ましい態様では、接続解除部２１６は、ＢＴ接続部２１２によりブルートゥース接続４０が有効のとき、メディアソースの選択情報に基づきＢＴオーディオ接続４４が使用されるか否かを判定し、使用されないと判定した場合には、オーディオ接続部２１２Ｂによる接続を解除する。さらに他の態様では、接続解除部２１６は、メディアソースの選択情報に基づきＵＳＢ接続５０が使用されるか否かを判定し、使用されないと判定した場合には、ＵＳＢ接続部２１４によるＵＳＢ接続５０を解除する。
【００３３】
図７は、本実施例の車載機の通信接続部の動作を説明するフローである。この動作フローは、図３（Ａ）に示すように情報端末２０がブルートゥース接続４０を優先するときの好ましい例である。情報端末２０が車内に持ち込まれると、情報端末２０と車載機３０間で、ブルートゥースに対応する機器の検索が行われ、対応する機器間でレスポンスが得られると、両機器間の相互認識がなされ、ブルートゥース接続４０またはペアリングがなされる（Ｓ１０１）。次に、ユーザは、ＵＳＢケーブルにより情報端末２０と車載機３０とを接続する（Ｓ１０２）。ＵＳＢ接続は、一般にＵＳＢプラグ・アンド・プレイにより認識されるが、ここでは、情報端末２０は、ＵＳＢ接続５０よりもブルートゥース接続４０を優先させるため、情報端末２０のＵＳＢ接続部１１４はＵＳＢ接続５０が利用できないような状態にする（Ｓ１０３）。
【００３４】
こうして、情報端末２０と車載機３０とは、ブルートゥース接続４０が確立された状態にあり、例えば、情報端末２０に着信があった場合には、着信信号は、情報端末２０からＨＦＰ接続４２を介して車載機３０へ通知され、ハンズフリー通話を行うことが可能になる。仮に、情報端末２０や車載機３０において他のアプリケーションが実行されている場合には、着信通知が割り込み通知される。また、車載機３０において、メディアソース選択画面２９０（図５）の中からＢＴオーディオ２９５がユーザ選択されていれば、車載機３０は、情報端末２０からのオーディオ信号をＢＴオーディオ接続４４を介して受け取り、これを音声出力部２３０から出力することができる。
【００３５】
こうした状況下において、車載機３０の接続解除部２１６は、ユーザによるメディアソースの選択状態を監視する（Ｓ１０４）。接続解除部２１６は、選択情報に基づきユーザがＢＴオーディオ２９５以外を選択された場合には（Ｓ１０５）、ＢＴオーディオ接続４４が使用されないと判定し、ＢＴ接続部２１２のオーディオ接続部２１２ＢによりＢＴオーディオ接続４４のみを解除させる（Ｓ１０６）。この解除は、例えば、オーディオ接続部２１２Ｂが、情報端末２０からのインクワイアリ(inquiry)やリクエストに対するレスポンス(response)やアクノレッジ(Acknowledge)などに応答をしないように動作することによって行われる。情報端末２０は、オーディオ接続部２１２Ｂからの応答を得ることができないと、車載機を認識をすることができないので、ＢＴオーディオ接続４４が接続されていないと判断する。その結果、ＢＴオーディオ接続４４とＵＳＢ接続５０とが競合する関係になくなり、情報端末２０は、ＵＳＢ接続５０が有効となるようにプラグ・アンド・プレイによる認識を行う（Ｓ１０７）。こうして、情報端末２０と車載機３０とは、ＵＳＢ接続５０により通信可能な状態におかれる。なお、ＢＴオーディオ接続４４のみが解除されたのであって、ＨＦＰ接続４２は有効に維持されている点にに留意すべきである。
【００３６】
接続解除部２１６は、その後も、メディアソースの選択に関する選択情報を監視し、ユーザがＢＴオーディオ２９５を選択した場合には（Ｓ１０８）、オーディオ接続部２１２Ｂによる解除を撤回し、情報端末２０がＢＴオーディオ接続４４により車載機３０との接続ができるようにする（Ｓ１０９）。ＢＴオーディオ接続４４が有効になると、情報端末２０は、再び、ＵＳＢ接続５０が利用できない状態におく。
【００３７】
図８は、本実施例のメディアシステム１０におけるメディア再生例を示すシーケンスである。情報端末２０および車載機３０の間にブルートゥース接続４０が確立されると（Ｓ２０１）、情報端末２０は、ブルートゥース接続４０を優先し、ＵＳＢ接続５０を使用不可能な状態にする（Ｓ２０２）。次に、ユーザは、情報端末２０の音楽再生用のアプリケーションを起動し、所望の楽曲を再生すると（Ｓ２０３）、再生されたオーディオ信号が情報端末２０のオーディオ接続部１１２ＢからＢＴオーディオ接続４４を介して車載機３０へ送信される。
【００３８】
車載機３０において、メディアソースはＢＴオーディオ２９５が選択されており（Ｓ２０４）、ＢＴオーディオ接続４４からのオーディオ信号は、オーディオ接続部２１２Ｂを介して音声出力部２３０へ提供され、音声が出力される（Ｓ２０５）。後に、ユーザが、ＢＴオーディオ以外のソースを選択すると（Ｓ２０６）、車載機３０の接続解除部２１６は、オーディオ接続部２１２ＢにＢＴオーディオ接続４４を解除させ（Ｓ２０７）、これにより、情報端末２０は、車載機３０との間にＵＳＢ接続を確立する（Ｓ２０８）。ユーザは、車載機３０の入力部２００より情報端末２０を遠隔操作するための指示を入力すると、これに応答して制御部２５０は、ＵＳＢ接続５０を介してコマンド信号を情報端末２０へ送信する。
【００３９】
情報端末２０の制御部１５０は、受け取ったコマンド信号を解読し、所望の音楽再生のアプリケーションを起動する（Ｓ２０９）。情報端末２０から車載機３０へ楽曲再生画面が転送され、ユーザは、車載機３０において所望の楽曲を再生する指示を入力し、この指示が情報端末２０へ送信される。これにより、所望の楽曲が再生され（Ｓ２１０）、再生されたオーディオ信号は、ＵＳＢ接続５０を介して車載機３０のＵＳＢ接続部２１４にて受信される。その後、受信された信号は、音声出力部２３０により音声出力される（Ｓ２１１）。
【００４０】
このように、本実施例のメディアシステム１０では、ユーザが選択するメディアソースに応じてＢＴオーディオ接続４４を自動的に解除するようにしたので、ユーザは、ＢＴオーディオ接続４４を使用しないときに、煩雑な操作をすることなくＵＳＢ接続５０を即座に利用することができる。さらに、ＢＴオーディオ接続４４と比べてＵＳＢ接続５０によるデータ通信速度が速い場合には、サンプリングレートの高い、あるいはビットレートが高い比較的大きなサイズの高音質のオーディオ信号の送受を行うことができる。
【００４１】
次に、本実施例の車載機の通信接続部の他の動作を図９のフローを参照して説明する。この動作フローは、図３（Ｂ）に示すように情報端末２０がＵＳＢ接続５０を優先するときの好ましい例である。情報端末２０が車内に持ち込まれると、情報端末２０と車載機３０間でブルートゥース接続４０がなされる（Ｓ３０１）。次いで、ユーザは、ＵＳＢケーブルにより情報端末２０と車載機３０とを接続すると（Ｓ３０２）、ＵＳＢプラグ・アンド・プレイにより両機器間の認識が行われる。ここで、情報端末２０は、ブルートゥース接続４０よりもＵＳＢ接続５０を優先させるため、オーディオ接続部１１２Ｂは、ＢＴオーディオ接続４４が認識されないような利用できない状態にする（Ｓ３０３）。
【００４２】
こうして、情報端末２０と車載機３０とは、ＵＳＢ接続５０により接続された状態にあり、両機器間は、ＵＳＢ接続５０を利用したデータ通信が可能になる。また、情報端末２０に着信があった場合には、着信信号は、ＨＦＰ接続４２により車載機３０へ通知され、ハンズフリー通話を行うことが可能になる。こうした状況下において、車載機３０の接続解除部２１６は、ユーザによるメディアソースの選択状態を監視する（Ｓ３０４）。
【００４３】
図１０は、メディアソース選択画面の一例である。図５のメディアソース選択画面２９０との違いは、図１０のメディアソース選択画面２９０ＡがＢＴオーディオ２９５の代わりにＵＳＢソース２９６を含んでいる点である。接続解除部２１６は、選択情報に基づきユーザがＵＳＢソース２９６以外を選択したか否かを監視し（Ｓ３０５）、ＵＳＢソース以外が選択された場合には、ＵＳＢ接続５０が使用されないと判定し、ＵＳＢ接続部２１４を介してＵＳＢ接続５０を解除する（Ｓ３０６）。接続の解除は、例えば、情報端末２０からのリクエスト等に応答しないようにすることで、情報端末２０は、車載機３０を認識をすることができないので、ＵＳＢ接続５０が接続されていないと判断する。その結果、通信選択部１１６は、オーディオ接続部１１２ＢにＢＴオーディオ接続４４が有効となるように動作させる（Ｓ３０７）。こうして、情報端末２０と車載機３０とは、ＢＴオーディオ接続４４により通信可能な状態におかれる。
【００４４】
接続解除部２１６は、その後も、メディアソースの選択に関する選択情報を監視し、ユーザがＵＳＢソース２９６を選択した場合には（Ｓ３０８）、ＵＳＢ接続部２１４によるＵＳＢ接続５０の解除を撤回させ、すなわち情報端末２０がＵＳＢ接続５０により車載機３０と通信ができるようにする（Ｓ３０９）。ＵＳＢ接続５０が再接続されたことにより、ＢＴオーディオ接続４４が利用できない状態におかれる。このように、情報端末２０がＵＳＢ接続５０を優先する場合であっても、メディアソースの選択に応じてＵＳＢ接続５０からＢＴオーディオ接続４４に自動的に接続を切替ることができる。
【００４５】
図１１は、他のメディアソース選択画面の選択例である。図１１のメディアソース選択画面２９０Ｂは、図５に示すＢＴオーディオ２９５と、図１０に示すＵＳＢソース２９６とを包含するものである。
【００４６】
情報端末２０が図３（Ａ）に示すようにブルートゥース接続を優先する場合、車載機３０の接続解除部２１６は、ユーザが特定のソースであるＵＳＢソース２９６を選択すると、ＢＴオーディオ接続４４を解除する。ユーザが、それ以外のメディアソース２９１〜２９４を選択した場合は、接続解除部２１６は、ＢＴオーディオ接続４４を解除しない。また、情報端末２０が図３（Ｂ）に示すようにＵＳＢ接続を優先する場合、車載機３０の接続解除部２１６は、ユーザが特定のソースであるＢＴオーディオ２９５を選択すると、ＵＳＢ接続５０を解除する。ユーザが、それ以外のメディアソース２９１〜２９４を選択した場合は、接続解除部２１６は、ＵＳＢ接続５０を解除しない。
【００４７】
以上、本発明の好ましい実施の形態について詳述したが、本発明は、特定の実施形態に限定されるものではなく、特許請求の範囲に記載された本発明の要旨の範囲内において、種々の変形・変更が可能である。上記実施例では、第１の通信方式による接続をブルートゥース接続、第２の通信方式による接続をＵＳＢ接続としたが、これは一例であって、本発明が適用し得る範囲で、第１および第２の通信方式は、他の通信手段であってもよい。
【符号の説明】
【００４８】
１０：メディアシステム                  ２０：情報端末
３０：車載機                            ３２：ハンズフリー通話セット
４０：ブルートゥース接続                ５０：ＵＳＢ接続
１１０：通信接続部                    １１２：ＢＴ接続部
１１２Ａ：ＨＦＰ接続部「              １１２Ｂ：オーディオ接続部
１１４：ＵＳＢ接続部                  １１６：通信選択部
２１０：通信接続部                    ２１２：ＢＴ接続部
２１２Ａ：ＨＦＰ接続部「              ２１２Ｂ：オーディオ接続部
２１４：ＵＳＢ接続部                  ２１６：通信選択部
２９０、２９０Ａ、２９０Ｂ：メディアソース選択画面
【図１】
2013077968.tif 000003
【図２】
2013077968.tif 000004
【図３】
2013077968.tif 000005
【図４】
2013077968.tif 000006
【図５】
2013077968.tif 000007
【図６】
2013077968.tif 000008
【図７】
2013077968.tif 000009
【図８】
2013077968.tif 000010
【図９】
2013077968.tif 000011
【図１０】
2013077968.tif 000012
【図１１】
2013077968.tif 000013